(57)【要約】【課題】長期間、一度も身に着けなかったような衣類が衣類収納庫の中にしまわれたままになっているのに、気づかず放置して衣類収納庫の有効スペースを犠牲にしている。【解決手段】衣類２０に添付された無線ＩＣタグ２１から衣類情報を読み取る読取手段６と、記憶手段２と、時計手段４と、報知手段８と、それらの制御手段５とを具備して、前記衣類情報には少なくとも着用季節に関する情報が含まれ、制御手段５は、衣類情報と、時計手段４から取得した季節日時情報とを記憶手段２に記憶させ、着用季節の期間に継続して衣類情報を読み出せた場合、報知手段８から着用履歴に関する報知を行う。【選択図】図１
2008200383.tif 000002
【特許請求の範囲】
【請求項１】
衣類に添付された無線ＩＣタグから衣類情報を読み取る読取手段と、記憶手段と、時計手段と、報知手段と、それらの制御手段とを具備して、前記衣類情報には少なくとも着用季節に関する情報が含まれ、前記制御手段は、前記衣類情報と、前記時計手段から取得した季節日時情報とを前記記憶手段に記憶させ、前記着用季節の期間に継続して前記衣類情報を読み出せた場合、前記報知手段から着用履歴に関する報知を行う衣類収納庫。
【請求項２】
除外衣類記憶手段を具備して、前記着用季節の期間に継続して前記衣類情報を読み出せた場合でも、あらかじめ前記除外衣類記憶手段に記憶されている衣類については、報知を行わない請求項１記載の衣類収納庫。
【請求項３】
前記衣類情報を読み出せない状態が一定期間以上継続した場合、前記報知手段から行方不明になっている旨を報知する請求項１または２いずれか記載の衣類収納庫。
【請求項４】
前記衣類収納庫が衣類を出し入れするため開口部と、前記開口部を塞ぐ扉と、前記扉の開閉を検知して前記制御手段に伝える開閉スイッチとを具備して、前記扉が閉じられた時に前記読取手段を動作させる１〜３のいずれか１項に記載の衣類収納庫。
【請求項５】
前記衣類収納庫と前記扉とを電磁波遮断物質で構成した、あるいは、覆った請求項４記載の衣類収納庫。
【請求項６】
請求項１〜５のいずれか１項に記載の衣類収納庫の少なくとも一部をコンピュータに実行させるためのプログラム。
【発明の詳細な説明】
【技術分野】
【０００１】
本発明は、無線ＩＣタグを利用して衣類を効率的に管理する衣類収納庫と、そのプログラムに関するものである。
【背景技術】
【０００２】
近年、無線ＩＣタグ（非接触ＩＣタグ）を物品に貼り付けておき、無線ＩＣタグ読み取り／書込み手段を収納庫に設置して在庫管理を行うことが行なわれており、更には収納庫内の環境情報を無線ＩＣタグに書き込んで保存状態を記録する方式が提案されている（例えば、特許文献１参照）。
【特許文献１】特開２００６−３１６５２５号公報
【発明の開示】
【発明が解決しようとする課題】
【０００３】
しかしながら、前記従来の構成は、衣料品に固有の問題である例えば季節ごとにそれぞれ適した衣類が存在するといった課題を解消するものではなく、夏物衣料をひと夏の間、まったく身に着けなかったような状態で衣類収納庫の中にしまわれたままになっていた場合に、そのような状況を検知しうるものではない。
【課題を解決するための手段】
【０００４】
そこで、前記従来の課題を解決するために、本発明の衣類収納庫においては、衣類に添付された無線ＩＣタグから衣類情報を読み取る読取手段と、記憶手段と、時計手段と、報知手段と、それらの制御手段とを具備して、前記衣類情報には少なくとも着用季節に関する情報が含まれ、前記制御手段は、前記衣類情報と、前記時計手段から取得した季節日時情報とを前記記憶手段に記憶させ、前記着用季節の期間に継続して前記衣類情報を読み出せた場合、前記報知手段から着用履歴に関する報知を行うようにした。
【発明の効果】
【０００５】
これにより、例えば、夏物衣料をひと夏の間、まったく身に着けなかったような状態で衣類収納庫の中にしまわれたままになっていた場合には、使用者に対して何らかの警告を出すことが出来る。すなわち、衣類が衣類収納庫の中にしまわれたままになっているのに、気づかず長期間放置して衣類収納庫の有効スペースを犠牲にしているような一般家庭で起こりうるミスを積極的に解消できるものである。
【発明を実施するための最良の形態】
【０００６】
第１の発明は、衣類に添付された無線ＩＣタグから衣類情報を読み取る読取手段と、記憶手段と、時計手段と、報知手段と、それらの制御手段とを具備して、前記衣類情報には少なくとも着用季節に関する情報が含まれ、前記制御手段は、前記衣類情報と、前記時計手段から取得した季節日時情報とを前記記憶手段に記憶させ、前記着用季節の期間に継続して前記衣類情報を読み出せた場合、前記報知手段から着用履歴に関する報知を行うようにした。
【０００７】
これにより、例えば、夏物衣料をひと夏の間、まったく身に着けなかった、あるいは、ほとんど着られなかったような状態で衣類収納庫の中にしまわれたままになっていた場合には、使用者に対して何らかの警告を出すことが出来る。すなわち、衣類が衣類収納庫の中にしまわれたままになっているのに、気づかず長期間放置して衣類収納庫の有効スペースを犠牲にしているような一般家庭で起こりうるミスを積極的に解消できるものである。
【０００８】
第２の発明は、特に第１の発明において、除外衣類記憶手段を具備して、前記着用季節の期間に継続して前記衣類情報を読み出せた場合でも、あらかじめ前記除外衣類記憶手段に記憶されている衣類については、報知を行わないようにした。
【０００９】
これにより、例えば礼服のようにえてある季節（ワンシーズン期間）、さらには、１年間以上、まったく身に着けない、あるいは、ほとんど身につけないが、仏事に備えて長期間衣類収納庫内で保管する必要があるような衣類に対しては、衣類収納庫の中にしまわれたままになっていても報知をしないので、合理的に衣類の保管を行うことができる。
【００１０】
第３の発明は、特に第１〜２の発明において、前記衣類情報を読み出せない状態が一定期間以上継続した場合、前記報知手段から行方不明になっている旨を報知するようにした。
【００１１】
これにより、例えばクリーニングに出したままになっている、あるいは、破棄されたという判断をして、使用者に注意を促すことが出来る。
【００１２】
第４の発明は、特に第１〜３のいずれかの発明において、前記衣類収納庫が衣類を出し入れするため開口部と、前記開口部を塞ぐ扉と、前記扉の開閉を検知して前記制御手段に伝える開閉スイッチとを具備して、前記扉が閉じられた時に前記読取手段を動作させるようにした。
【００１３】
これにより、衣類の出し入れのために扉の開け閉めを行なった後に、衣類収納庫の中に存在する衣類に添付された無線ＩＣタグの情報を読み取るので、衣類収納庫の中の衣類に変化があった可能性があるときにだけ、無線ＩＣタグより情報を読み取ることが出来る。
【００１４】
第５の発明は、特に第１〜４のいずれかの発明において、前記衣類収納庫と前記扉とを電磁波遮断物質で構成した、あるいは、覆った。
【００１５】
これにより、使用者自信が身につけている、あるいは、衣類収納庫の外に存在する衣類に添付された無線ＩＣタグの情報を読み取るというミスをおこすことがなくなり、常に衣類収納庫の中に存在している無線ＩＣタグより情報を読み取ることが出来る。
【００１６】
第６の発明は、特に第１〜５いずれかの発明において、少なくともひとつの動作をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１７】
以下、本発明の実施の形態について、図面を用いて一実施形態について詳細に説明する。なお、この実施の形態によって本発明が限定されるものではない。
【００１８】
（実施の形態１）
図１は本発明の衣類収納庫の構成一例を示す図である。
【００１９】
衣類収納庫１は、記憶手段２と、除外衣類記憶手段３と、時計手段４と、制御手段５と、読取手段６と、開閉スイッチ７と、報知手段８と、衣類２０を出し入れするための開口部９と、開口部を閉じるための扉１０とを具備している。
【００２０】
また、時計手段４は、季節日時情報を提供する。あるいは天気予報や気温と連携するよ
うにして精度を高めてもよい。
【００２１】
衣類２０には、その衣類２０に関する衣類情報が書き込まれた無線ＩＣタグ２１が添付されている。無線ＩＣタグ２１に書き込まれている情報は、例えば、品名、材質、洗濯条件、製造国、製造メーカ、生産日、着用季節である。
【００２２】
ここでいうところの着用季節とは、春、夏、秋、冬といった情報であってもかまわないし、例えば夏物であれば６月〜９月という該当する月を含む情報であってかまわないし、夏物以外の冬物、合い物、通年物といったものが存在し、お互いの月が一部、あるいは、すべての月が重なり合っていても構わない。
【００２３】
すなわち、例えば春物が３月〜６月であって、夏物と１ヶ月間の重なりがあっても構わないし、通年物であれば１月〜１２月であって、すべての月がいずれかの他季節と重なり合うことになるが、何ら問題はない。動作詳細は図３を用いて、後ほど記述する。
【００２４】
図２は本発明の衣類収納庫の構成一例を示す図である。
【００２５】
衣類収納庫１の壁面、天井、底部のすべてと、扉１０とを、アルミ箔などの電磁波遮断物質で覆った状態を示している。このようにしておくと、扉１０を閉じた時点で、外部とは電磁的に遮断される。
【００２６】
すなわち、衣類収納庫１の外部に存在する衣類２０に添付された無線ＩＣタグ２１とは、電磁的に遮断されてしまうので電磁波で通信することが出来なくなり、誤って衣類収納庫１の内部以外に存在する無線ＩＣタグ２１（例えば、使用者が着用している衣類に添付された無線ＩＣタグ）を読み込んでしまうといったことを回避することができる。
【００２７】
扉１０が閉じられている時には、衣類収納庫１の中に収納されている無線ＩＣタグ２１だけと通信可能となる。つまり、扉１０が閉じられている時にだけ読取手段６を作動させて無線ＩＣタグ２１の情報を読み取ることは、収納されている衣類２０だけを確実に検知するといった点でも非常に有効な手段である。
【００２８】
もちろん、扉１０の開閉とは関係なく定期的（例えば１時間おき）に読み込むといった方法でも考えられなくはないが、当方式のように衣類の保管状況が変わった時（扉１０の開閉時）にだけ読み込むという方が、無駄な動作が減り効率的であり、省エネルギーなどにも貢献すると考えている。
【００２９】
次に、図３を用いて動作の流れを以下で説明する。図３は制御手段５が行う衣類管理の動作一連の流れを示すものである。
【００３０】
制御手段５は開閉スイッチ７からの信号により、扉１０が開けられた、あるいは、閉じられたことを検知する。扉１０が一旦開けられて、閉じられたという情報により、衣類収納庫１の中から衣類２１が取り出された、あるいは衣類収納庫１に衣類２１が戻された可能性があると判断する（ステップ３１）。これは、衣類の収納状況が変化する（衣類が収納された、あるいは取り出された）時には、必ず扉１０の開閉を伴うからである。
【００３１】
制御手段５は読取手段６から、衣類２０に添付されている無線ＩＣタグ２１の衣類情報を読み取る（ステップ３２）。衣類収納庫１には無線ＩＣタグ２１が添付された衣類２０は１枚以上存在する可能性があるので、何度も繰り返して全ての衣類情報を読み取る。
【００３２】
さらに、制御手段５は、無線ＩＣタグ２１より読み取った衣類情報と、時計手段４の季
節日時に関する情報とを記憶手段２に記憶させる（ステップ３３）。
【００３３】
記憶手段２は大容量フラッシュメモリーのようなものであって、衣類収納庫１に格納されうる衣類の情報をすべて記憶することが出来る大容量のものを想定している。
【００３４】
次に、シーズン終了時（衣替えの時期）であるかどうかを制御手段５が時計手段４の情報により判定し、シーズン終了でなければ、そのまま動作を継続する（ステップ３４）。シーズン終了時とは、例えば１１月１日、あるいは、６月１日といった一般的な衣替えの日を想定している。
【００３５】
もし、シーズン終了時（衣替えの時期）であった場合、制御手段５は、記憶手段２の情報を調査、すなわち、そのシーズンを通じて、衣類がどのような頻度で着用されたかどうかを調べることになり、制御手段５は、記憶手段２に記憶されている情報の中から、同一のものが連続して存在するかどうかを調査していき、それぞれの情報について、ある季節（１シーズン期間）に、同じ情報が過去に継続して記憶されているかどうかを調査する（ステップ３５）。
【００３６】
その結果、読めなかった期間が無く、毎回必ず読み出すことが出来ていた無線ＩＣタグが該当するものが存在すれば（ステップ３５）、その衣類は例えばある季節（１シーズン期間）に一度も取り出されたことがない（着用されたことがない）と判断し、さらに除外衣類記憶手段３に登録されている品目かどうかを調査し（ステップ３６）、除外衣類であるならば報知対象から除外するという処理をおこなう。
【００３７】
なお、除外衣類記憶手段３に登録されている除外衣類とは、例えば礼服のように何年も身に着けないこともあるが、仏事に備えてある季節（１シーズン期間）、さらには、１年間を超えて長期間に衣類収納庫内で保管する必要があるようなものであり、このような衣類に対しては、衣類収納庫の中にしまわれたままになっていても報知をしないことが望ましい。
【００３８】
除外衣類に該当しないことが判明した時点で、１シーズンに未着用であった衣類であるという認定を行い、未着用衣類放置対象として制御手段５が、その衣類情報を記憶手段２に記憶させておく（ステップ３７）。
【００３９】
次に、衣類情報を読み出せなくなった状態が一定期間（例えば１週間以上）継続したかどうかを調べて（ステップ３８）、そのような衣類が存在した場合には、何らかの形で行方不明（廃棄、紛失、盗難、クリーニング中、出しっぱなし）になったと判断し、行方不明衣類として認識して、制御手段５が、その衣類情報を記憶手段２に記憶させておく（ステップ３９）。
【００４０】
最後に、報知対象になっている衣類があるかどうかを調査して（ステップ４０）、存在すれば扉１０が開かれるまで待機しておき（ステップ４１）、扉１０が開かれた時に、使用者に対して、制御手段５は報知手段８から報知させる（ステップ４２）。
【００４１】
この場合に報知とは、１シーズン中にどのような衣類が一度も着られなかったこと、あるいは、着用回数が少なくいことと合わせて着用した日時を告げてもかまわないし、ある時期から特定の衣類がなくなってしまったことを音声や文字などで報知することが考えられる。
【００４２】
すなわち、使用者がクリーニングに出したまま、うっかりと忘れてしまったような場合でも注意を喚起して、所謂たんすの肥やしになってしまっているような衣類の存在を知り
、処分していくことを提案する。あるいは、逆にもっとこの服は着ても良いのではないかといった報知を行うといったこともありうる。
【００４３】
ここまでの説明において、衣類２０に添付された無線ＩＣタグ２１が読めなかった、あるいは、読めたという判断基準であるが、記憶手段２には扉１０が閉じられた時点での、時間情報と衣類情報とが記憶されており、ある時間には読めていた無線ＩＣタグ２１が、別の時間には読めなくなっていたという履歴を調べることで、その無線ＩＣタグ２１（すなわち、それが添付された衣類２０）が衣類収納庫１より取り出されていたということを、容易に判断していくことができる。
【００４４】
すなわち、扉１０を開け閉めするたびに記憶手段２に履歴が残っていくので、シーズン中に毎回必ず読み込めていたということになれば、その無線ＩＣタグ２１を添付した衣類２０は一度も取り出されなかったと判定することができる。
【００４５】
また、一時的に読めなかった場合でも、その時間間隔が短い（例えば１０分以内）であれば着用されたとは見なさないといったことも考えられる。
【００４６】
また、長期間（例えば１週間）に渡って読み出せなかった場合は、その間長期出張していたとか、衣類をクリーニングに出していたといったことも考えられるので、その旨を報知することも考えられる。
【００４７】
さらには、ある時期から全く読めなくなった場合には、廃棄されたと判断してリストから自動的に除外してしまうといったことも考えられる。
【００４８】
図３においては、シーズン中に一度も着られなかった（取り出されなかった）ということで判断してきたが、この限りではなく、ある一定回数を設定（例えば３回以下）しておき、それ以下の回数しか着られなかった（取り出されなかった）ものも対象にしてもかまわないし、同様の効果が期待できるのは当然のことである。
【００４９】
また、１シーズン（例えば夏物）といったある特定の季節にだけ着用されるような衣類を想定して説明してきたが、当然ながらこの限りではなく、通年物といった春夏秋冬、一年中着用されるような衣類にも適用可能である。
【００５０】
このような場合には、例えば１年間（春夏秋冬）を通じて着用されなかったことを検知して、これまでと同様の報知を行うことが可能であり、同等な効果が得られることが期待できる。
【００５１】
また、報知を行う際に、無線ＩＣタグ２１に書き込まれている情報に含まれている品名や製造メーカなどの情報を含んだ報知を行っても構わない。ここで行う報知は警報音であっても構わないし、光を発する視覚的なものであっても構わないし、バイブレーターのような振動であってももちろん構わないが、該当する衣類に関する情報を含み、着用履歴に関する情報と共に使用者に報知することが望ましい。
【００５２】
さらに着用履歴から洗濯やクリーニングを推奨する報知を行ってもよい。
【００５３】
このように制御手段５は、時計手段４から季節情報、日時情報を取得し、記憶手段２に記憶する情報に、衣類情報と、季節日付情報とを記憶させているので、さかのぼってどの時期から衣類収納庫１に収納されたままになっているといった情報も含めて報知することも可能である。こういった情報からより適切な報知をすることが可能となっている。
【００５４】
また、ここまでの説明では、無線ＩＣタグ２１に書き込まれている情報は、一例として、品名、材質、洗濯条件、製造国、製造メーカ、生産日、着用季節としてきたが、この限りではなく、例えば９６〜１２８ビット長のユニークなＩＤコードであって、このＩＤコードを元にインターネット上に存在するような外部サーバ（図示せず）に衣類に関する情報を制御手段５が、インターネット経由（図示せず）で問い合わせることもありうる。
【００５５】
さらに無線ＩＣタグ２１にユーザ書込み可能な記憶エリア（メモリー）が内蔵されていて、その記憶エリア（メモリー）を利用して、除外衣類であることを示すような情報（フラグ情報）を書き込んで利用するといった使用方法も考えられる。
【００５６】
報知する判断基準もここで説明してきた方法に限定するわけではなく、例えば、製品の製造日、あるいは、ユーザが購入した日を無線ＩＣタグ２１に記憶させておき、通年物の衣料に対しても、例えば１年ごとにその着用履歴に関する報知する、あるいは、着用されなかった場合にはその旨を報知するといったことも考えられる。
【００５７】
ここまでの説明では、読取手段６は電波を発して、その電波を受けた無線ＩＣタグ２１は励起して情報を返答するパッシブ型の無線ＩＣタグを想定している。
【００５８】
衣類２０を衣類収納庫１に収納あるいは、衣類収納庫１から取り出すために、使用者は扉１０を開く。この時、扉１０の開閉に連動して結果的に読取手段６が作動して情報を読み取ることになるのであるが、収納されたすべての衣類と通信可能なようにアンテナ配置を考慮すべきであり、アンテナを複数個設けて、読取可能な領域（通信領域）を拡大するといったことも大変有益である。
【００５９】
無線ＩＣタグ２１にはパッシブ型だけではなく、電池を内蔵したアクティブ型の無線ＩＣタグも存在するが、アクティブ型であっても構わないし、同様の効果を発揮する。
【００６０】
衣類収納庫１に収納されている（存在する）衣類の無線ＩＣタグだけから情報を読み取ることとして、衣類収納庫１から離れた場所にある無線ＩＣタグからは情報を読み取らないようにすることも重要な要素であり、図２に示したように衣類収納庫１と、扉８を電磁波遮断物質（例えば金属）で構成する、あるいはそのような物質で覆って、衣類収納庫１の外部には電波が飛ばないようにすることは、通信距離が長いアクティブタグ型の無線ＩＣタグには必須である。
【００６１】
パッシブタグ型の無線ＩＣタグであっても、特にＵＨＦ帯の無線ＩＣタグは条件によっては１０ｍ程度離れていても通信するので、このような無線ＩＣタグを用いる場合には、図２に示したような、衣類収納庫１と扉８を電磁波遮断物質で構成する、あるいは覆うとことは重要である。
【００６２】
一般的に用いられる１３．５６ＭＨｚ、あるいは、２．５４ＧＨｚ帯のものであれば数十センチメートル〜数メートル以下であるが、場合によっては衣類収納庫１以外の場所に存在する無線ＩＣタグ２１を読み取ってしまうことが想定される。
【００６３】
すなわち、たとえ数十センチでしか通信できないような場合でも、衣類収納庫１のそばに存在する、まったく関係のない無線ＩＣタグ（例えば使用者が着用している衣類の無線ＩＣタグ）から情報を読み出してしまう可能性はあるので、このような場合でも前述のように電磁波遮断物質で構成することは好ましい結果が期待できる。
【００６４】
当然ながら、前述のように電磁波遮断物質で構成した場合でも、扉１０が開いている状態で読取手段６を動作させると、衣類収納庫１の中以外に存在する無線ＩＣタグからも情
報を読み取る恐れがあるので、扉１０がきちんと閉まっている時に読取手段６を動作させることが好ましいのはいうまでもない。
【００６５】
また、開閉スイッチとは別に、重量センサを設けて、重量の変化を見るようにして読取手段を動作させても良い。
【００６６】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【産業上の利用可能性】
【００６７】
以上のように、本発明は、長期間、一度も身に着けなかったような衣類が衣類収納庫の中にしまわれたままになっているのに、気づかず放置して衣類収納庫の有効スペースを犠牲にしているような一般家庭で起こりうるミスを積極的に解消できる。
【００６８】
また、衣類に限らず靴や帽子など季節に密着した生活日用品の収納庫にも利用可能である。
【図面の簡単な説明】
【００６９】
【図１】本発明の実施の形態１の衣類収納庫の構成を示す図
【図２】本発明の実施の形態１の衣類収納庫の構成を示す図
【図３】本発明の実施の形態１の衣類管理の動作一連の流れを示す図
【符号の説明】
【００７０】
１  衣類収納庫
２  記憶手段
３  除外衣類記憶手段
４  時計手段
５  制御手段
６  読取手段
７  開閉スイッチ
８  報知手段
９  開口部
１０  扉
２０  衣類
２１  無線ＩＣタグ
【図１】
2008200383.tif 000003
【図２】
2008200383.tif 000004
【図３】
2008200383.tif 000005